(57)【要約】【課題】天井への組込時における施工性に優れ、かつ床衝撃音の低減効果にも優れたダイナミックダンパー及びこれを備えた天井を提供する。【解決手段】ダイナミックダンパー１は、第１端部１１Ａと、第１端部１１Ａに対して両野縁２の間隔Ｗ２以上の間隔で配置された第２端部１１Ｄと、を有する質量体１１と、第１端部１１Ａと第２端部１１Ｄとの間で質量体１１に接続され、天井ボード５の上面５Ａに載置される載置面１３Ａを有すると共に質量体１１を支持する弾性変形可能な支持体１２と、を備える。第１端部１１Ａの下面１１Ｂと載置面１３Ａとの間の高さ寸法Ｗ３及び第２端部１１Ｄの下面１１Ｂと載置面１３Ａとの間の高さ寸法Ｗ３は、野縁２の高さ寸法Ｗ４よりも大きい。【選択図】図３
2017089307.tif 000002
【特許請求の範囲】
【請求項１】
所定の配列方向に互いに間隔を空けて配列された２本の野縁と、両野縁の下面に固定される天井ボードと、を備えた天井に設置されるダイナミックダンパーであって、
第１端部と、前記第１端部に対して両野縁の間隔以上の間隔で配置された第２端部と、を有する質量体と、
前記第１端部と前記第２端部との間で前記質量体に接続され、前記天井ボードの上面に載置される載置面を有すると共に前記質量体を支持する弾性変形可能な少なくとも１つの支持体と、を備え、
前記第１端部の下面と前記載置面との間の高さ寸法及び前記第２端部の下面と前記載置面との間の高さ寸法は、前記野縁の高さ寸法よりも大きい、ダイナミックダンパー。
【請求項２】
前記第１端部が一方の野縁の内面から所定の長さだけ前記配列方向の外側に突出するように配置されたときに、他方の野縁の内面に対して前記突出長さよりも小さい隙間を空けて前記配列方向の内側に配置される対向面を有する、請求項１に記載のダイナミックダンパー。
【請求項３】
前記対向面は、前記載置面よりも上側でかつ前記第１端部の下面から所定の高さ距離だけ下に離れた位置に設けられ、
前記高さ距離は、前記第１端部の下面と前記載置面との間の高さ寸法から前記野縁の高さ寸法を引いた距離よりも大きい、請求項２に記載のダイナミックダンパー。
【請求項４】
前記支持体は、
前記質量体に接続された弾性変形可能な弾性体と、
前記弾性体に接続され、前記対向面を有する拘束部材と、を含む、請求項２又は３に記載のダイナミックダンパー。
【請求項５】
前記支持体は、両野縁の間隔よりも小さい幅を有し、
前記拘束部材は、前記弾性体の下端部に接続され、前記対向面である側面と、前記載置面である下面と、を有し、
前記拘束部材の厚みは、前記第２端部の下面と前記載置面との間の高さ寸法から前記野縁の高さ寸法を引いた距離よりも大きい、請求項４に記載のダイナミックダンパー。
【請求項６】
前記質量体は、石膏から構成されている、請求項１〜５の何れか１項に記載のダイナミックダンパー。
【請求項７】
前記第１端部から前記第２端部に向かう方向において互いに離れて配置された複数の前記支持体を備えた、請求項１〜６の何れか１項に記載のダイナミックダンパー。
【請求項８】
前記第１端部から前記第２端部に向かう方向に直交する方向において互いに離れて配置された複数の前記支持体を備えた、請求項１〜７の何れか１項に記載のダイナミックダンパー。
【請求項９】
所定の配列方向に互いに間隔を空けて配列された２本の野縁と、
前記野縁の下面に固定される天井ボードと、
前記天井ボードの上面に設置される請求項１〜８の何れか１項に記載のダイナミックダンパーと、を備えた、天井。
【発明の詳細な説明】
【技術分野】
【０００１】
本発明は、ダイナミックダンパー及びこれを備えた天井に関する。
【背景技術】
【０００２】
住宅やマンションなどの建物においては、上層階から下層階へ伝わる床衝撃音を低減する必要があり、この課題に対して種々の対策が検討されている。例えば、建物に使用される床材や天井材の重量を重くする対策や、床材や天井材に防振機能を持たせる対策などが考案されている。
【０００３】
下記特許文献１には、このような建物における床衝撃音の低減対策の例として、天井下地において質量体と弾性体とからなるダイナミックダンパーを設置することが提案されている。この公報では、天井ボード上において複数本の野縁及び野縁受が格子状に組み付けられており、当該野縁受にダンパーが取り付けられている。
【先行技術文献】
【特許文献】
【０００４】
【特許文献１】特開２００６−３４２５８０号公報
【発明の概要】
【発明が解決しようとする課題】
【０００５】
上記特許文献１に開示されたダンパーは、野縁受に固定されるものであるため、施工に掛かる手間が多い。また、複数のダンパーが固定された重量の大きな野縁受を組み付ける必要があるため、重労働になるという問題がある。またダンパーが野縁受及び野縁を介して天井ボードに固定されるため、野縁受及び野縁の組付状態やこれらの剛性の影響により、固定後のダンパーの固有周期が固定前のダンパー単体の固有周期よりも低くずれてしまう。そのため、ダンパーの機能が十分に得られず、床衝撃音を十分に低減することができないという問題もある。
【０００６】
本発明は、上記課題に鑑みてなされたものであり、その目的は、天井への組込時における施工性に優れ、かつ床衝撃音の低減効果にも優れたダイナミックダンパー及びこれを備えた天井を提供することである。
【課題を解決するための手段】
【０００７】
本発明の一局面に係るダイナミックダンパーは、所定の配列方向に互いに間隔を空けて配列された２本の野縁と、両野縁の下面に固定される天井ボードと、を備えた天井に設置されるダイナミックダンパーである。上記ダイナミックダンパーは、第１端部と、前記第１端部に対して両野縁の間隔以上の間隔で配置された第２端部と、を有する質量体と、前記第１端部と前記第２端部との間で前記質量体に接続され、前記天井ボードの上面に載置される載置面を有すると共に質量体を支持する弾性変形可能な少なくとも１つの支持体と、を備える。前記第１端部の下面と前記載置面との間の高さ寸法及び前記第２端部の下面と前記載置面との間の高さ寸法は、前記野縁の高さ寸法よりも大きい。
【０００８】
上記ダイナミックダンパーは、質量体の第１及び第２端部が野縁の上面に掛かるように仮設置することができる。ここで、第１及び第２端部の下面と載置面との間の高さ寸法が野縁の高さ寸法よりも大きいため、上記載置面が野縁の下面よりも下側に位置する。その後、天井ボードを持ち上げて、天井ボードを両野縁に下から固定する。その過程で、上記載置面が天井ボード上に載置された状態でダンパーが持ち上げられる。このように、天井ボードを野縁に固定することにより、ダンパーの設置が完了する。以上のように、上記ダイナミックダンパーは、従来のように野縁受に固定する必要がなく、また天井ボードに予め固定する必要もないため、施工性に優れている。
【０００９】
また上記ダイナミックダンパーは、設置完了状態において、天井ボードの上面に載置され、かつ天井ボードの持ち上げによって質量体の第１及び第２端部が野縁から離れる。これにより、質量体を振動させることができ、ダンパーとしての作用が得られる。ここで、天井ボードと直接接触した状態でダンパーが配置されるため、従来のように天井ボードとの間に他部材を介して固定されるものと異なり、ダンパーの固有周期が固定前に対してずれることを防止でき、ダンパーの反力を天井ボードに対して効率的に伝えることができる。このため、上記ダイナミックダンパーは、施工性に優れるだけでなく、床衝撃音の低減効果にも優れたものとなっている。
【００１０】
上記ダイナミックダンパーは、前記第１端部が一方の野縁の内面から所定の長さだけ前記配列方向の外側に突出するように配置されたときに、他方の野縁の内面に対して前記突出長さよりも小さい隙間を空けて前記配列方向の内側に配置される対向面を有していてもよい。
【００１１】
これにより、ダンパーが上記他方の野縁側へずれた時でも、対向面が野縁と衝突することにより、第１端部が一方の野縁の内面に対して突出した状態が維持される。そのため、ダンパーの落下を防止することができる。
【００１２】
上記ダイナミックダンパーにおいて、前記対向面は、前記載置面よりも上側でかつ前記第１端部の下面から所定の高さ距離だけ下に離れた位置に設けられていてもよい。前記高さ距離は、前記第１端部の下面と前記載置面との間の高さ寸法から前記野縁の高さ寸法を引いた距離よりも大きい。
【００１３】
これにより、天井ボードが野縁に固定され、質量体が野縁から離れた状態において、対向面を野縁に対向させることができる。そのため、ダンパーの位置がずれた時でも質量体の端部が野縁の内面よりも外側に突出した状態が維持され、天井ボードが割れた場合でもダンパーの落下を防止することができる。
【００１４】
上記ダイナミックダンパーにおいて、前記支持体は、前記質量体に接続された弾性変形可能な弾性体と、前記弾性体に接続され、前記対向面を有する拘束部材と、を含んでいてもよい。
【００１５】
これにより、天井の振動に応じて変形する機能を弾性体に持たせつつ、拘束部材の大きさや配置によって対向面の位置を調整することができる。そのため、対向面の位置を調整する時でも弾性体の設計を変更する必要がなく、ダンパーの周期が変わらないという利点がある。
【００１６】
上記ダイナミックダンパーにおいて、前記支持体は、両野縁の間隔よりも小さい幅を有していてもよい。前記拘束部材は、前記弾性体の下端部に接続され、前記対向面である側面と、前記載置面である下面と、を有していてもよい。前記拘束部材の厚みは、前記第２端部の下面と前記載置面との間の高さ寸法から前記野縁の高さ寸法を引いた距離よりも大きくてもよい。
【００１７】
これにより、質量体の第１及び第２端部が野縁の上面に掛けられた仮設置状態において、支持体を両野縁の間に位置させ、かつ拘束部材を野縁に対向させることができる。そのため、天井ボードによりダンパーを持ち上げる時に位置がずれても、拘束部材と野縁とが衝突するため、天井ボードと野縁との間にダンパーが挟まれることを防止できる。これにより、天井ボードの不陸の問題を回避することができる。
【００１８】
上記ダイナミックダンパーにおいて、前記質量体は、石膏から構成されていてもよい。
【００１９】
上記ダイナミックダンパーは、天井懐の天井面に近い部分において両野縁に跨るように面状に設置することができるため、広い面積を確保することができる。そのため、質量体に比重が小さい材質を用いた場合でも、ダンパーとして機能させるのに必要な重量を確保することができる。そのため、上記ダイナミックダンパーでは、リサイクル可能で不燃材料である石膏を質量体の構成材料として用いることで、火災に強くコスト削減が可能なダイナミックダンパーを構成することができる。
【００２０】
上記ダイナミックダンパーは、前記第１端部から前記第２端部に向かう方向において互いに離れて配置された複数の前記支持体を備えていてもよい。
【００２１】
これにより、第１端部から第２端部に向かう方向において質量体を複数の支持体により安定に支持することができる。
【００２２】
上記ダイナミックダンパーは、前記第１端部から前記第２端部に向かう方向に直交する方向において互いに離れて配置された複数の前記支持体を備えていてもよい。
【００２３】
これにより、第１端部から第２端部に向かう方向に直交する方向において質量体の幅を大きくして面積を広げた場合でも、質量体を複数の支持体により安定に支持することができる。その結果、質量体の撓みを小さくすることができる。
【００２４】
本発明の他局面に係る天井は、所定の配列方向に互いに間隔を空けて配列された２本の野縁と、両野縁の下面に固定される天井ボードと、前記天井ボードの上面に設置される上記ダイナミックダンパーと、を備える。
【００２５】
上記天井では、ダイナミックダンパーを天井ボードの上面に設置することで、天井ボードに対してダンパーを直接接触させることができる。これにより、従来のように天井ボードとの間に他部材を介してダンパーが固定されるものと異なり、ダンパーの固有周期が固定前よりもずれることを防止することができる。そのため、上記天井によれば、優れた床衝撃音の低減効果を得ることができる。
【発明の効果】
【００２６】
本発明によれば、天井への組込時における施工性に優れ、かつ床衝撃音の低減効果にも優れたダイナミックダンパー及びこれを備えた天井を提供することができる。
【図面の簡単な説明】
【００２７】
【図１】本発明の実施形態１に係る天井の構造を示す斜視図である。
【図２】図１中の領域ＩＩの拡大図である。
【図３】本発明の実施形態１に係るダイナミックダンパーの構造を示す側面図である。
【図４】本発明の実施形態２に係る天井の上方から見た構造を示す斜視図である。
【図５】本発明の実施形態２に係る天井の下方から見た構造を示す斜視図である。
【発明を実施するための形態】
【００２８】
以下、図面に基づいて、本発明の実施形態につき詳細に説明する。
【００２９】
［実施形態１］
（天井）
まず、本発明の実施形態１に係る天井１０の構造について、図１〜図３を参照して説明する。天井１０は、複数本の床梁４、野縁２及び野縁受３と、天井ボード５と、ダイナミックダンパー１と、を有する。
【００３０】
床梁４は、上層階の床を支えるためのものであり、一方向に延びる鋼の構造材である。床梁４は、平板状の一対のフランジ４Ａ，４Ｂと、これらを接続する平板状のウェブ４Ｃと、を有する。フランジ４Ａ，４Ｂは互いに平行し、ウェブ４Ｃはフランジ４Ａ，４Ｂに直交し、かつ一端部がフランジ４Ａの下面に接続されると共に他端部がフランジ４Ｂの上面に接続されている。床梁４は、図１に示すように、所定の配列方向に互いに間隔を空けて平行に配列されている。
【００３１】
野縁２は、中空部が設けられた四角柱状の細長い構造材である。野縁２は、図１に示すように、床梁４の配列方向と直交する配列方向Ｄ１に互いに間隔を空けて平行に配列されている。互いに隣り合う２本の野縁２は、配列方向Ｄ１に互いに対向する内面２Ａをそれぞれ有する。
【００３２】
野縁受３は、一方に開口したコの字状の細長い構造材であり、野縁２の上面に配置されている。野縁受３は、図１に示すように、野縁２に直交し、かつ野縁２に対して格子状に組み付けられている。野縁受３は、平板状の一対のフランジ３Ａ，３Ｂと、これらの一端部を接続する平板状のウェブ３Ｃと、を有する。フランジ３Ａ，３Ｂは互いに平行し、ウェブ３Ｃはフランジ３Ａ，３Ｂに直交する。野縁受３は、図１に示すように、開口部を床梁４側に向けた状態で、床梁４と平行に配置されている。床梁４のフランジ４Ｂには取付具２２が設けられており、野縁受３はフランジ３Ａを貫通するボルト２１により取付具２２に固定されている。
【００３３】
天井ボード５は、石膏ボードによって構成されており、図３（右図）に示すように隣接する両野縁２の下面に固定されている。天井ボード５は、隣接する両野縁２の間隔Ｗ２よりも幅が大きく、野縁２の内面２Ａよりも外側に突出した部分において野縁２の下面に固定されている。また天井ボード５は、ダイナミックダンパー１が載置される上面５Ａを有する。
【００３４】
ダイナミックダンパー１は、上層階から伝わる床衝撃音を低減するためのものであり、図１に示すように隣接する２本の野縁２に跨るように複数配置されている。ダイナミックダンパー１は、図１に示すように、配列方向Ｄ１に列状に配列され、かつ配列方向Ｄ１に直交する方向に互いに間隔を空けて配列されている。またダイナミックダンパー１は、図３に示すように、天井ボード５の上面５Ａに載置される。ダイナミックダンパー１の構造については、後に詳述する。
【００３５】
（ダイナミックダンパー）
次に、上記ダイナミックダンパー１の詳細な構造について、図２及び図３を参照して説明する。図２は、図１中の領域ＩＩの拡大図であり、左側はダイナミックダンパー１を上側から見た図を示し、右側は下側から見た図を示す。図３は、ダイナミックダンパー１の構造を示し、左側は天井ボード５が固定される前の状態を示し、右側は天井ボード５が固定された後の状態を示す。ダイナミックダンパー１は、質量体１１と、当該質量体１１に接続された支持体１２と、を有する。
【００３６】
質量体１１は、ダイナミックダンパー１の錘として機能する部分であり、上面１１Ｃ及び下面１１Ｂを有する。質量体１１は、リサイクル可能な石膏ボードによって構成されており、長手方向の幅Ｗ１と、短手方向の幅Ｗ５と、を有する長方形状の板部材である。質量体１１は、長手方向の一端部である第１端部１１Ａと、他端部である第２端部１１Ｄと、を有する。第２端部１１Ｄは、第１端部１１Ａに対して隣接する両野縁２の間隔Ｗ２以上の間隔で配置されている。つまり、質量体１１の長手方向の幅Ｗ１は、両野縁２の間隔Ｗ２よりも大きくなっている。
【００３７】
支持体１２は、隣接する両野縁２の間隔Ｗ２よりも小さい幅を有し、第１端部１１Ａと第２端部１１Ｄとの間において下面１１Ｂに接続されると共に質量体１１を支持する。支持体１２は、複数（２つ）の弾性体１４と、当該弾性体１４の下端部に接続された複数（２つ）の拘束部材１３と、を有する。図３に示すように、支持体１２は、第１端部１１Ａから第２端部１１Ｄに向かう方向（配列方向Ｄ１）において互いに離れて配置されている。
【００３８】
弾性体１４は、天井の振動に応じて弾性変形可能なゴム体であり、互いに間隔を空けて下面１１Ｂに接続されている。より具体的には、弾性体１４は、質量体１１を厚み方向に貫通するボルト１５と、上面１１Ｃに配置されたナットと、によって質量体１１に固定されている。
【００３９】
拘束部材１３は、弾性体１４よりも幅が大きいプレート状の部材である。拘束部材１３は、図２（右図）に示すように、長方形状を有し、短手方向の幅が質量体１１と略同じであり、かつ長手方向の長さが質量体１１よりも小さくなっている。
【００４０】
拘束部材１３は、弾性体１４の下端部に接続される上面１３Ｂと、下面１３Ａと、上面１３Ｂと下面１３Ａとを繋ぐ側面１３Ｃと、を有する。下面１３Ａは、図３（右図）に示すように、天井ボード５の上面５Ａに載置される載置面である。また側面１３Ｃは、配列方向Ｄ１に野縁２の内面２Ａと対向する対向面である。
【００４１】
載置面１３Ａと第１及び第２端部１１Ａ，１１Ｄの下面１１Ｂとの間の高さ寸法Ｗ３は、野縁２の高さ寸法Ｗ４よりも大きくなっている。そのため、図３（左図）に示すように、第１及び第２端部１１Ａ，１１Ｄが野縁２の上面に掛かった状態では、載置面１３Ａが野縁２の下面よりも下方に位置する。これにより、天井ボード５の上面５Ａを載置面１３Ａに接触させることができる。
【００４２】
拘束部材１３の厚みＴ１は、高さ寸法Ｗ３から高さ寸法Ｗ４を引いた距離Ｗ７よりも大きくなっている。そのため、図３（左図）に示すように、第１及び第２端部１１Ａ，１１Ｄが野縁２の上面に掛かった状態では、拘束部材１３が野縁２の内面２Ａに対向する。
【００４３】
また対向面１３Ｃは、載置面１３Ａよりも上側でかつ、第１及び第２端部１１Ａ，１１Ｄの下面１１Ｂから所定の高さ距離Ｗ６だけ下側に離れた位置に設けられている。この高さ距離Ｗ６は、高さ寸法Ｗ３から高さ寸法Ｗ４を引いた距離Ｗ７よりも大きくなっている。図３（右図）に示すように、距離Ｗ７は、天井ボード５が野縁２の下面に固定された状態での質量体１１と野縁２との間の距離に等しい。そのため、高さ距離Ｗ６を距離Ｗ７よりも大きくすることにより、天井ボード５が固定された状態において対向面１３Ｃが野縁２の内面２Ａに対向する。
【００４４】
（ダイナミックダンパーの設置）
次に、ダイナミックダンパー１の設置手順について、図３を参照して説明する。
【００４５】
まず、ダイナミックダンパー１が両野縁２間の隙間を通るように持ち上げられ、図３（左図）に示すように、第１及び第２端部１１Ａ，１１Ｄが野縁２の上面に掛かるように仮設置される。
【００４６】
この仮設置状態では、支持体１２（弾性体１４及び拘束部材１３）が両野縁２の間に位置する。また、質量体１１の長手方向の幅Ｗ１が両野縁２間の間隔Ｗ２よりも大きいため、第１及び第２端部１１Ａ，１１Ｄが野縁２の内面２Ａよりも配列方向Ｄ１の外側へ長さＬ１，Ｌ２だけ突出する。このとき、第１端部１１Ａが一方の野縁２の内面２Ａから配列方向Ｄ１の外側へ突出する長さＬ１（突出長さ）は、他方の野縁２の内面２Ａと対向面１３Ｃとの間の配列方向Ｄ１における隙間Ｌ４よりも大きくなっており、また第２端部１１Ｄが他方の野縁２の内面２Ａから配列方向Ｄ１の外側へ突出する長さＬ２（突出長さ）は、一方の野縁２の内面２Ａと対向面１３Ｃとの間の配列方向Ｄ１における隙間Ｌ３よりも大きくなっている。そのため、当該仮設置状態においてダンパーの位置が横方向にずれた時には対向面１３Ｃと野縁２の内面２Ａとが衝突し、第１及び第２端部１１Ａ，１１Ｄが野縁２に掛かった状態が維持されるため、施工中のダンパーの落下を防止できる。
【００４７】
また、第１及び第２端部１１Ａ，１１Ｄの下面１１Ｂと載置面１３Ａとの間の高さ寸法Ｗ３は野縁２の高さ寸法Ｗ４よりも大きいため、載置面１３Ａは野縁２の下面よりも下方に位置する。そのため、天井ボード５を載置面１３Ａに容易に接触させることができる。
【００４８】
次に、図３（右図）に示すように、天井ボード５の上面５Ａを載置面１３Ａに接触させ、天井ボード５を上方へ移動させることにより、ダイナミックダンパー１が上方へ持ち上げられる。そして、天井ボード５の両端部を野縁２の下面に固定することにより、ダイナミックダンパー１の設置が完了する。このとき、拘束部材１３が野縁２の内面２Ａに対して配列方向Ｄ１に対向しており、かつ野縁２の内面２Ａよりも配列方向Ｄ１の外側に位置していないため、天井ボード５と野縁２の下面との間にダンパーが挟まれることを防止できる。ダイナミックダンパー１は、天井ボード５に固定されずに上面５Ａに載置された状態で支持され、また天井ボード５の持ち上げによって第１及び第２端部１１Ａ，１１Ｄの下面１１Ｂが野縁２の上面から離れた状態になる。これにより、天井ボード５の振動に応じて質量体１１を振動させることができる。
【００４９】
設置完了状態では、図３（右図）に示すように、対向面１３Ｃが野縁２の内面２Ａに対向する。また仮設置状態と同様に、第１端部１１Ａが一方の野縁２の内面２Ａから配列方向Ｄ１の外側へ突出する長さＬ１が他方の野縁２の内面２Ａと対向面１３Ｃとの間の配列方向Ｄ１における隙間Ｌ４よりも大きく、かつ第２端部１１Ｄが他方の野縁２の内面２Ａから配列方向Ｄ１の外側へ突出する長さＬ２が一方の野縁２の内面２Ａと対向面１３Ｃとの間の配列方向Ｄ１における隙間Ｌ３よりも大きくなっている。これにより、ダンパーの位置が横方向にずれた時でも第１及び第２端部１１Ａ，１１Ｄが野縁２の上面と対向した状態が維持される。そのため、天井ボード５が割れた時でも第１及び第２端部１１Ａ，１１Ｄが野縁２の上面に掛かるため、ダンパーの落下を防止できる。以上のようにして、上記ダイナミックダンパー１の設置が完了する。
【００５０】
（作用効果）
次に、上記ダイナミックダンパー１の特徴的な構成及び作用効果について説明する。
【００５１】
上記ダイナミックダンパー１は、第１端部１１Ａと、第１端部１１Ａに対して両野縁２の間隔Ｗ２以上の間隔で配置された第２端部１１Ｄと、を有する質量体１１と、天井ボード５に載置される載置面１３Ａを有する弾性変形可能な支持体１２と、を備える。そして、第１及び第２端部１１Ａ，１１Ｄの下面１１Ｂと載置面１３Ａとの間の高さ寸法Ｗ３は、野縁２の高さ寸法Ｗ４よりも大きくなっている。
【００５２】
上記ダイナミックダンパー１は、図３（左図）に示すように、第１及び第２端部１１Ａ，１１Ｄが野縁２の上面に掛かるように仮設置することができる。このとき、第１及び第２端部１１Ａ，１１Ｄの下面１１Ｂと載置面１３Ａとの間の高さ寸法Ｗ３が野縁２の高さ寸法Ｗ４よりも大きいため、載置面１３Ａが野縁２の下面よりも下側に位置する。その後、図３（右図）に示すように、天井ボード５を持ち上げて、天井ボード５を両野縁２に下から固定する。その過程で、載置面１３Ａが天井ボード５上に載置された状態でダンパーが持ち上げられる。このように、天井ボード５を野縁２に固定することにより、ダンパーの設置が完了する。以上のように、上記ダイナミックダンパー１は、隣接する両野縁２に跨るように掛けるだけで野縁受３に固定する必要がなく、また天井ボード５に予め固定する必要もないため、施工性に優れている。
【００５３】
また上記ダイナミックダンパー１は、設置完了状態において、天井ボード５の上面５Ａに載置され、かつ質量体１１の第１及び第２端部１１Ａ，１１Ｄが野縁２の上面から離れる。これにより、質量体１１を振動させることができ、ダンパーとしての作用が得られる。ここで、上記ダイナミックダンパー１は、天井ボード５の上面５Ａと直接接触した状態で配置されるため、ダンパーの固有周期が固定前に対してずれることが防止され、ダンパーの反力を天井ボード５に対して効率的に伝えることができる。
【００５４】
上記ダイナミックダンパー１は、図３（左図）に示すように、第１端部１１Ａが一方の野縁２の内面２Ａから所定の長さＬ１だけ配列方向Ｄ１の外側に突出するように配置されたときに、他方の野縁２の内面２Ａに対して当該突出長さＬ１よりも小さい隙間Ｌ４を空けて配列方向Ｄ１の内側に配置される対向面１３Ｃを有する。また第２端部１１Ｄが他方の野縁２の内面２Ａから所定の長さＬ２だけ配列方向Ｄ１の外側に突出するように配置されたときに、一方の野縁２の内面２Ａに対して当該突出長さＬ２よりも小さい隙間Ｌ３を空けて配列方向Ｄ１の内側に配置される対向面１３Ｃを有する。これにより、図３（左図）に示す仮設置状態においてダンパーの位置が横方向にずれた時でも、対向面１３Ｃが野縁２の内面２Ａと衝突することにより、第１及び第２端部１１Ａ，１１Ｄが野縁２に対して突出した状態が維持される。よって、質量体１１が両野縁２に掛かった状態が維持されるため、施工中にダンパーが落下するのを防止できる。
【００５５】
上記ダイナミックダンパー１において、対向面１３Ｃは、載置面１３Ａよりも上側でかつ第１及び第２端部１１Ａ，１１Ｄの下面１１Ｂから所定の高さ距離Ｗ６だけ下に離れた位置に設けられている。当該高さ距離Ｗ６は、第１及び第２端部１１Ａ，１１Ｄの下面１１Ｂと載置面１３Ａとの間の高さ寸法Ｗ３から野縁２の高さ寸法Ｗ４を引いた距離Ｗ７よりも大きくなっている。図３（右図）に示すように、天井ボード５が野縁２の下面に固定された状態では、質量体１１は距離Ｗ７だけ野縁２から離れた状態になる。そのため、高さ距離Ｗ６を距離Ｗ７よりも大きくすることで、天井ボード５が固定された状態においても対向面１３Ｃを野縁２の内面２Ａに対向させることができる。これにより、天井ボード５が割れた場合でも、ダンパーの落下を防止することができる。
【００５６】
上記ダイナミックダンパー１において、支持体１２は、質量体１１に接続された弾性変形可能な弾性体１４と、弾性体１４に接続され、対向面１３Ｃを有する拘束部材１３と、を含む。これにより、天井ボード５の振動に応じて変形する機能を弾性体１４に持たせつつ、拘束部材１３の大きさや配置によって対向面１３Ｃの位置を調整することができる。そのため、対向面１３Ｃの位置を調整する時でも弾性体１４の設計を変更する必要がなく、ダンパーの周期が変わらないという利点がある。
【００５７】
上記ダイナミックダンパー１において、支持体１２は、両野縁２の間隔Ｗ２よりも小さい幅を有する。拘束部材１３は、弾性体１４の下端部に接続され、対向面１３Ｃ（側面）と、載置面１３Ａ（下面）と、を有する。拘束部材１３の厚みＴ１は、第１及び第２端部１１Ａ，１１Ｄの下面１１Ｂと載置面１３Ａとの間の高さ寸法Ｗ３から野縁２の高さ寸法Ｗ４を引いた距離Ｗ７よりも大きくなっている。
【００５８】
これにより、第１及び第２端部１１Ａ，１１Ｄが野縁２の上面に掛けられた仮設置状態において（図３左図）、支持体１２を両野縁２の間に位置させ、かつ拘束部材１３を野縁２に対向させることができる。そのため、天井ボード５によりダンパーを持ち上げる時に横方向に位置がずれた時でも、拘束部材１３と野縁２とが衝突するため、天井ボード５と野縁２の下面との間にダンパーが挟まれることを防止できる。これにより、天井ボード５の不陸の問題を回避することができる。
【００５９】
上記ダイナミックダンパー１において、質量体１１は、石膏から構成されている。上記ダイナミックダンパー１は、図１に示すように、天井懐の天井面に近い部分において両野縁２に跨るように面状に設置することができるため、広い面積を確保することができる。そのため、質量体１１に比重が小さい材質を用いた場合でも、ダンパーとして機能させるのに必要な重量を確保することができる。そのため、上記ダイナミックダンパー１では、リサイクル可能な石膏を質量体１１の構成材料として用いることで、コスト削減を図ることができる。
【００６０】
［実施形態２］
次に、本発明の実施形態２に係るダイナミックダンパー１Ａ及びこれを備えた天井１０Ａについて、図４及び図５を参照して説明する。
【００６１】
ダイナミックダンパー１Ａは、質量体３１と、質量体３１に接続された複数（４つ）の支持体３２と、を有する。支持体３２の各々は、弾性体３４と、弾性体３４に接続された拘束部材３５と、を有する。実施形態２では、質量体３１における短辺方向Ｄ２（第１端部から第２端部に向かう方向に直交する方向）の幅が上記実施形態１の質量体１１よりも大きくなっている。そして、支持体３２は、短辺方向Ｄ２において互いに離れて配置されると共に、長手方向Ｄ１（第１端部から第２端部に向かう方向）において互いに離れて配置されている。つまり、支持体３２は、図５に示すように質量体３１の四隅に接続されている。
【００６２】
このように質量体３１の短辺方向Ｄ２の幅を大きくすることで、質量体３１の面積をより広げることができる。そのため、鉄に比べて密度が低く安価な石膏などを質量体３１の構成材料として用いた場合でも、ダンパーとして機能させるのに必要な重量を確保することができる。また複数の支持体３２を短辺方向Ｄ２において互いに離れて配置することにより、上述のように短辺方向Ｄ２の幅を大きくした場合でも、質量体３１を複数の支持体３２により安定に支持することができる。また支持体３２を質量体３１の四隅に設けることで各支持体３２を野縁２付近に位置させることができ、各支持体３２によって上述したようなダンパーの落下防止の効果を得ることができる。
【００６３】
（その他実施形態）
上記実施形態では、第１端部１１Ａの下面１１Ｂと載置面１３Ａとの間の高さ寸法Ｗ３と、第２端部１１Ｄの下面１１Ｂと載置面１３Ａとの間の高さ寸法Ｗ３とが同じであるがこれに限定されず、両者が異なっていてもよい。
【００６４】
上記実施形態では、第１端部１１Ａの突出長さＬ１が隙間Ｌ４よりも大きく、かつ第２端部１１Ｄの突出長さＬ２が隙間Ｌ３よりも大きい場合について説明したがこれに限定されず、上記大小関係が逆であってもよい。
【００６５】
上記実施形態では、支持体１２が弾性体１４と拘束部材１３とによって構成される場合について説明したがこれに限定されず、拘束部材１３が省略されてもよい。
【００６６】
上記実施形態では、質量体１１が石膏ボードからなる場合について説明したがこれに限定されず、鉄板などの他の材質からなる部材によって構成されてもよい。
【００６７】
今回開示された実施形態は、全ての点で例示であって、制限的なものではないと解されるべきである。本発明の範囲は、上記した説明ではなくて特許請求の範囲により示され、特許請求の範囲と均等の意味及び範囲内での全ての変更が含まれることが意図される。
【符号の説明】
【００６８】
１，１Ａ  ダイナミックダンパー
２  野縁
５  天井ボード
５Ａ  上面
１０，１０Ａ  天井
１１，３１  質量体
１１Ａ  第１端部
１１Ｄ  第２端部
１２  支持体
１３  拘束部材
１３Ａ  載置面（下面）
１３Ｃ  対向面（側面）
１４  弾性体
Ｄ１  配列方向
Ｌ１，Ｌ２  突出長さ
Ｌ３，Ｌ４  隙間
Ｗ２  間隔
【図１】
2017089307.tif 000003
【図２】
2017089307.tif 000004
【図３】
2017089307.tif 000005
【図４】
2017089307.tif 000006
【図５】
2017089307.tif 000007